(57)【要約】【課題】製造コストの増大が抑制されながらも調理者にとって視やすい画像を表示可能であり、かつ従来の厨房機器と比べて画像の投影場所およびその大きさの制約が緩和されているレンジフードおよび厨房機器を提供する。【解決手段】排気ファン１０と、排気ファン１０を収容するケース本体１１と、ケース本体１１の下方に配置された排気フード１２とを備えるレンジフードであって、画像Ｚを投影する投影装置３と、投影装置３から投影された画像Ｚを表示するスクリーン２とを備える。【選択図】図２
2018105515.tif 000002
【特許請求の範囲】
【請求項１】
排気ファンと、前記排気ファンを収容するケース本体と、前記ケース本体の下方に配置された排気フードとを備えるレンジフードであって、
画像を投影する投影装置と、
前記投影装置から投影された画像を表示するスクリーンとを備える、レンジフード。
【請求項２】
前記スクリーンは前記排気フードに対して昇降および回動の少なくともいずれかの動作が可能であり、
前記動作が行われることにより、前記スクリーンが収納状態と使用状態とに切替えられる、請求項１に記載のレンジフード。
【請求項３】
前記排気フードには吸気用開口部が配置されており、
前記吸気用開口部内に配置されている整流板と、
前記整流板に対し前記スクリーンを回動可能に支持する回動支持部とをさらに備える、請求項２に記載のレンジフード。
【請求項４】
前記スクリーンは前記投影装置から画像が投影され得る投影面を有し、
前記収納状態において前記投影面は前記整流板によって覆われている、請求項３に記載のレンジフード。
【請求項５】
前記スクリーンを前記排気フードに対して昇降可能に支持する昇降支持部をさらに備える、請求項２に記載のレンジフード。
【請求項６】
前記使用状態において前記スクリーンは前記排気フードの下方に配置される、請求項２〜５のいずれか１項に記載のレンジフード。
【請求項７】
前記スクリーンを構成する材料は不燃材料である、請求項１〜６のいずれか１項に記載のレンジフード。
【請求項８】
前記スクリーンは反射防止層を含み、
前記投影装置は、前記反射防止層に画像を投影する、請求項１〜７のいずれか１項に記載のレンジフード。
【請求項９】
キッチンに取り付けられる厨房機器であって、
排気ファンと、前記排気ファンを収容するケース本体と、前記ケース本体の下方に配置された排気フードとを含むレンジフードと、
前記レンジフードよりも下方に配置されたワークトップとを備え、
前記レンジフードは画像を投影する投影装置をさらに含み、
前記ワークトップは前記投影装置から投影された画像を表示するスクリーンを含む、厨房機器。
【発明の詳細な説明】
【技術分野】
【０００１】
本発明は、レンジフードおよび厨房機器に関し、特に投影装置を備えるレンジフードおよび厨房機器に関する。
【背景技術】
【０００２】
投影装置を備える厨房機器は、例えば特開２００５−２３０４１９号公報（特許文献１）および特開２００６−１２５６７１号公報（特許文献２）に開示されている。
【０００３】
特開２００５−２３０４１９号公報においては、操作装置がキッチンの壁面またはキッチンカウンタの上面に画像を投影する投影装置を備えている。
【０００４】
特開２００６−１２５６７１号公報においては、レンジフードファンが幕板の外面に面状発光体からなる表示手段としての有機ＥＬディスプレイを備えている。
【先行技術文献】
【特許文献】
【０００５】
【特許文献１】特開２００５−２３０４１９号公報
【特許文献２】特開２００６−１２５６７１号公報
【発明の概要】
【発明が解決しようとする課題】
【０００６】
しかしながら、特開２００５−２３０４１９号公報では、キッチンの壁面またはキッチンカウンタの上面に鍋、調味料など調理に使用される各種物品（以下、調理物品という）が配置されている場合、投影装置から当該調理物品に画像が投影される。調理物品に投影された画像は、調理物品の外観上に重なって表示されるため、調理者に視認されにくい。
【０００７】
特開２００５−２３０４１９号公報において調理者にとって視やすい画像を投影するには、画像を調理物品が配置されていない上記壁面または上面に投影する必要が生じる。そのため、特開２００５−２３０４１９号公報の厨房機器で調理者にとって視やすい画像を投影しようとすると、画像の投影場所およびその大きさは調理物品の配置およびその大きさの制約を受ける。
【０００８】
特開２００６−１２５６７１号公報で用いられる面状発光体の製造コストは一般的に投影装置のそれと比べて高い。そのため、面状発光体を備えるレンジフードの製造コストは、投影装置を備えるレンジフードの製造コストと比べて高い。
【０００９】
本発明は、上記の課題に鑑みてなされたものであり、その目的は、製造コストの増大が抑制されながらも調理者にとって視やすい画像を表示可能であり、かつ従来の厨房機器と比べて画像の投影場所およびその大きさの制約が緩和されているレンジフードおよび厨房機器を提供することである。
【課題を解決するための手段】
【００１０】
本発明のレンジフードは、排気ファンと、排気ファンを収容するケース本体と、ケース本体の下方に配置された排気フードとを備えるレンジフードであって、画像を投影する投影装置と、投影装置から投影された画像を表示するスクリーンとを備える。
【００１１】
本発明のレンジフードによれば、投影装置から投影された画像はスクリーンに表示される。そのため、スクリーンに投影された画像は、調理物品に投影された画像と比べて調理者にとって視やすい。さらに、スクリーンに投影された画像の視認性は、キッチンの壁面やキッチンカウンタに投影された画像の視認性と比べて、高い。これは、スクリーンに投影された画像の視認性は、キッチンカウンタの上面に配置されている調理物品の影響を受けにくいためである。そのため、本発明のレンジフードは、従来の厨房機器と比べて画像の投影場所およびその大きさの制約が緩和されている。さらに、本発明のレンジフードは、投影装置とスクリーンを備えているため、面状発光体を備えるレンジフードと比べて製造コストが低減されている。
【００１２】
上記レンジフードにおいて、スクリーンは排気フードに対して昇降および回動の少なくともいずれかの動作が可能である。上記動作が行われることにより、スクリーンが収納状態と使用状態とに切替えられる。
【００１３】
ここで、スクリーンが収納状態にあるとは、スクリーンが使用状態にあるときと比べて、スクリーンに画像が投影不可能な状態をいう。このような収納状態と使用状態とに切替えられる上記スクリーンでは、使用状態において投影装置から投影される画像が表示される投影面の少なくとも一部が、収納状態にあるときに調理者に視認出来ない状態とされる。そのため、上記レンジフードは、常に使用状態で保持されるスクリーンを備えるレンジフードと比べて、スクリーン不使用時の見栄えが向上されている。
【００１４】
上記レンジフードにおいて、使用状態においてスクリーンは排気フードの下方に配置される。
【００１５】
上記レンジフードによれば、使用状態におけるスクリーンとワークトップとの間の距離が、使用状態においてスクリーンが排気フードの上方に配置される場合と比べて、短くなる。そのため、調理中にスクリーンに投影された画像を見る際の調理者の視線の動きは、使用状態においてスクリーンが排気フードの上方に配置される場合と比べて、小さくなる。その結果、調理者は、上記レンジフードのスクリーンに投影された画像に容易にアクセスすることができる。
【００１６】
上記レンジフードにおいて、排気フードには吸気用開口部が配置されている。上記レンジフードは、吸気用開口部内に配置されている整流板と、整流板に対しスクリーンを回動可能に支持する回動支持部とをさらに備える。
【００１７】
このようなスクリーンは収納状態と使用状態とを容易に切り替えることができる。また、このようなスクリーンは整流板とともにレンジフードに容易に取付けおよび取り外しされ得る。また、このようなスクリーンは収納状態において整流板として作用し得る。
【００１８】
上記レンジフードにおいて、スクリーンは投影装置から画像が投影され得る投影面を有している。収納状態において投影面は整流板によって覆われている。ここで、投影面が整流板によって覆われているとは、投影面が整流板の１つの面と接触している状態、または投影面が整流板の１つの面と間隔を隔てて向かい合うように配置されている状態をいう。これにより、スクリーン２の投影面２ａは油煙に曝されることによる汚染が抑制されている。
【００１９】
上記レンジフードは、スクリーンを昇降可能に支持する昇降支持部をさらに備える。このようなスクリーンは収納状態と使用状態とを容易に切り替えることができる。
【００２０】
上記レンジフードにおいて、スクリーンを構成する材料は不燃材料である。このようなレンジフードは、防災の観点で優れている。
【００２１】
上記レンジフードにおいて、スクリーンは反射防止層を含む。投影装置は、反射防止層に画像を投影する。このようなスクリーンでは、不要な外光の反射が抑制されている。そのため、このようなスクリーンに投影された画像は、反射防止層が形成されていないスクリーンに投影された画像と比べて、調理者にとって視やすい。
【００２２】
本発明に係る厨房機器は、キッチンに取り付けられる厨房機器であって、排気ファンと、排気ファンを収容するケース本体と、ケース本体の下方に配置された排気フードとを含むレンジフードと、レンジフードよりも下方に配置されたワークトップとを備える。レンジフードは、画像を投影する投影装置をさらに含む。ワークトップは、投影装置から投影された画像を表示するスクリーンを含む。
【００２３】
本発明の厨房機器によれば、投影装置から投影された画像はスクリーンに表示される。そのため、スクリーンに投影された画像は、調理物品の影響を受けないので、キッチンの壁面やキッチンカウンタに投影された画像と比べて調理者にとって視やすい。そのため、本発明の厨房機器は、従来の厨房機器と比べて画像の投影場所およびその大きさの制約が緩和されている。さらに、本発明の厨房機器は、投影装置とスクリーンを備えているため、面状発光体を備える厨房機器と比べて製造コストが低減されている。
【発明の効果】
【００２４】
本発明によれば、製造コストの増大を抑制しつつ、投影面の制約を緩和して、調理者にとって視やすい画像を投影可能なレンジフードおよび厨房機器を提供することができる。
【図面の簡単な説明】
【００２５】
【図１】実施の形態１におけるレンジフードおよび厨房機器を示す図であって、スクリーンに画像が投影されている状態を示す正面図である。
【図２】図１に示されるレンジフードおよび厨房機器においてスクリーンに画像が投影されている状態を示す側面図である。
【図３】図１に示されるレンジフードにおいてスクリーンがフード内に収納されている状態を示す斜視図である。
【図４】図３に示されるレンジフードのスクリーンおよび整流板を示す部分断面図である。
【図５】図１に示されるレンジフードにおいてスクリーンに画像が投影されている状態を示す部分断面図である。
【図６】実施の形態２におけるレンジフードにおいてスクリーンがフード内に収納されている状態を示す斜視図である。
【図７】図６に示されるレンジフードのスクリーンおよび整流板を示す部分断面図である。
【図８】実施の形態３におけるレンジフードにおいてスクリーンがフード内に収納されている状態を示す部分断面図である。
【図９】実施の形態３におけるレンジフードにおいてスクリーンに画像が投影されている状態を示す部分断面図である。
【図１０】実施の形態４におけるレンジフードおよび厨房機器を示す図であって、スクリーンがフード内に収納されている状態を示す側面図である。
【図１１】実施の形態５におけるレンジフードおよび厨房機器においてスクリーンに画像が投影されている状態を示す側面図である。
【図１２】実施の形態６におけるレンジフードおよび厨房機器を示す図であって、スクリーンに画像が投影されている状態を示す正面図である。
【図１３】図１２に示されるレンジフードおよび厨房機器においてスクリーンに画像が投影されている状態を示す側面図である。
【図１４】実施の形態７における厨房機器を示す図であって、スクリーンに画像が投影されている状態を示す正面図である。
【図１５】図１４に示される厨房機器においてスクリーンに画像が投影されている状態を示す側面図である。
【発明を実施するための形態】
【００２６】
以下、図面を参照して本発明の実施の形態について説明する。なお、以下の図面において同一または相当する部分には同一の参照番号を付しその説明は繰返さない。
【００２７】
（実施の形態１）
＜レンジフードおよび厨房機器の構成＞
図１および図２に示されるように、厨房機器１００は、キッチンに取り付けられる。厨房機器１００は、レンジフード１と、レンジフード１よりも下方に配置されたワークトップとを備える。該ワークトップは、例えばキッチンカウンタ２０と、加熱調理可能なガスコンロ２１とを含む。レンジフード１はガスコンロ２１の上方に配置される。レンジフード１は、ガスコンロ２１上で加熱調理される際に生じる蒸気、油、粉塵等を含む油煙を室外に排出するためのものである。なお、上記ワークトップは、ガスコンロ２１に代えて加熱調理可能な任意の機器を含んでいてもよく、例えばＩＨ（誘導加熱）コンロを含んでいてもよい。以下において、レンジフード１および厨房機器１００に向いて立っている調理者に近い側を前方、遠い側を後方とよぶ。
【００２８】
図４および図５に示されるように、レンジフード１は、室内の空気を室外に排気する排気ファン１０と、排気ファン１０を収容するケース本体１１と、ケース本体１１の下方に配置された排気フード１２とを備える。排気ファン１０は、油煙を室内から室外へ排気するための排気流路の一部をケース本体１１および排気フード１２内に形成する。排気フード１２は、ケース本体１１の下方に配置され、ケース本体１１と接続されている。排気フード１２には、油煙をレンジフード１内に取り込むための吸気開口部が配置されている。例えば吸気開口部の一部が吸気口７として作用する。ケース本体１１には、排気フード１２の吸気口７からレンジフード１内に取り込まれた油煙をレンジフード１内から室外へ送り出すり込むための排気口（図示しない）が配置されている。吸気口７は、例えばガスコンロ２１の上方に配置されている。排気口は、室内に配置されている排気ダクト１４の流入口と接続されている。これにより、ガスコンロ２１での加熱調理によって発生した油煙は、排気ファン１０によって吸気口７から排気フード１２およびケース本体１１内に吸い込まれた後、排気口から排気ダクト１４を通って室外に排出されることになる。
【００２９】
図１〜図５に示されるように、レンジフード１は、スクリーン２と、スクリーン２に画像Ｚを投影する投影装置３とをさらに備える。画像Ｚは、静止画像および動画像を含む。
【００３０】
スクリーン２は投影装置３から画像Ｚが投影され得る投影面２ａを有している。投影面２ａは平面である。投影面２ａは、厨房機器１００に向いて立っている調理者が視認可能な場所に配置され得る。投影装置３は、スクリーン２の投影面２ａに画像Ｚを投影可能である。スクリーン２の投影面２ａは、キッチンの壁面Ｈと別体として構成されており、例えば壁面Ｈよりも前方に配置されている。スクリーン２の投影面２ａは、レンジフード１において任意の場所に配置され得る。スクリーン２の投影面２ａは、例えば排気フード１２の吸込口よりも上方に配置されていてもよい。好ましくは、スクリーン２の投影面２ａは、排気フード１２の吸込口よりも下方に配置されていている。
【００３１】
投影装置３は、例えば排気フード１２に取り付けられている。投影装置３は、画像を投影可能な限りにおいて任意の構成を有していればよいが、例えばレーザプロジェクタである。投影装置３は、例えばスクリーンミラーリング等の無線通信機能によって、スマートフォンやタブレット等の端末からの画像情報をワイヤレスにて投影可能である。
【００３２】
このようなレンジフード１により投影装置３からスクリーン２に投影された画像Ｚは、従来の厨房機器により壁面などに投影された画像と比べて、見えやすい。さらにスクリーン２および投影装置３は面状発光体と比べて製造コストが低いため、レンジフード１の製造コストは、面状発光体を備えるレンジフードの製造コストと比べて低い。
【００３３】
＜レンジフードの詳細な構成＞
図４および図５に示されるように、ケース本体１１は、排気ファン１０を収容している。ケース本体１１内には、排気ファン１０により形成される流路の一部が配置される。ケース本体１１には、排気ファン１０に対し当該流路の上流側および下流側の各々に開口部が配置されている。ケース本体１１は、上流側に配置された開口部を介して排気フード１２と接続されており、下流側に配置された開口部を介して排気ダクト１４と接続されている。ケース本体１１の上流側の開口部は、例えばケース本体１１の下流側の開口部よりも下方に配置されている。ケース本体１１の前面には、幕板１３が配置されている。
【００３４】
図３〜図５に示されるように、排気フード１２内には、上記流路の吸気口７が配置されている。排気フード１２は、ケース本体１１よりも上記流路の上流側に配置されている。排気フード１２は、例えばケース本体１１の下方に配置されている。排気フード１２は、任意の構成を有してればよいが、例えば外面パネル１２ａおよび内面パネル１２ｂを有している。
【００３５】
図４および図５に示されるように、外面パネル１２ａは、排気フード１２の上壁を成す上壁部１２ａａと、排気フード１２の側壁を成す側壁部１２ａｂと、排気フード１２の下壁を成す下壁部１２ａｃとを有している。側壁部１２ａｂの上端部は上壁部１２ａａと接続されており、側壁部１２ａｂの下端部は下壁部１２ａｃと接続されている。上壁部１２ａａは、ケース本体１１と接続されている。下壁部１２ａｃは、内面パネル１２ｂと接続されている。
【００３６】
図４および図５に示されるように、内面パネル１２ｂは、排気フード１２内に配置される排気流路の上端を成す上端部１２ｂａと、排気フード１２内に配置される排気流路の側端を成す側端部１２ｂｂと、外面パネル１２ａの下壁部１２ａｃと接続されている下端部１２ｂｃとを有している。側端部１２ｂｂの上端部は上端部１２ｂａと接続されており、側端部１２ｂｂの下端部は下端部１２ｂｃと接続されている。内面パネル１２ｂの上端部１２ｂａは、下端部１２ｂｃに対して上方に凹んでいる。上壁部１２ａａおよび上端部１２ｂａには、ケース本体１１の内部空間と連なる連通口が配置されている。下端部１２ｂｃは、例えば下壁部１２ａｃと同一面上に配置されている。下壁部１２ａｃおよび下端部１２ｂｃは、排気フード１２の下面を成している。側端部１２ｂｂは、下壁部１２ａｃおよび下端部１２ｂｃに対して交差する方向に延びている。
【００３７】
図３〜図５に示されるように、内面パネル１２ｂは、排気フード１２に配置された吸気用開口部を成している。内面パネル１２ｂの側端部１２ｂｂと下端部１２ｂｃとの境界部が、吸気用開口部の縁部を成している。排気フード１２の吸気用開口縁部と整流板５の外縁との間には、隙間が配置されている。当該隙間は、排気フード１２内に油煙を取り込むための吸気口７を成している。
【００３８】
図１〜図５に示されるように、レンジフード１は、幕板１３と、整流板５とをさらに備える。
【００３９】
図１〜図５に示されるように、幕板１３は、ケース本体１１および排気ダクト１４よりも前方に、排気フード１２よりも上方に配置されている。幕板１３は、ケース本体１１および排気ダクト１４を調理者から隠蔽するためのものである。幕板１３は、例えば伸縮可能である。
【００４０】
図１〜図５に示されるように、整流板５は、排気フード１２内に配置されている。整流板５の外縁は、内面パネル１２ｂの下端部１２ｂｃの内縁よりも、排気ファン１０の回転軸に近い側に配置されている。整流板５の外縁は、内面パネル１２ｂの下端部１２ｂｃの内縁と、排気ファン１０の径方向において間隔を隔てて配置されている。整流板５の外縁と、内面パネル１２ｂの下端部１２ｂｃの内縁との間の隙間が、排気ファン１０により排気フード１２内に形成される上記流路の吸気口７を成している。
【００４１】
図４および図５に示されるように、整流板５は、排気フード１２の内面パネル１２ｂに固定されている。整流板５は任意の方法により内面パネル１２ｂに固定されていればよい。例えば、整流板５の上面には、複数（例えば２つ）の被釣金具８ａおよび複数（例えば２つ）の連結金具９ａが配置されている。内面パネル１２ｂには、複数（例えば２つ）の釣金具８ｂおよび複数（例えば２つ）のロック部９ｂが配置されている。被釣金具８ａは例えば排気ファン１０の回転軸よりも後方に配置され、連結金具９ａは例えば排気ファン１０の回転軸よりも前方に配置される。被釣金具８ａが釣金具８ｂに吊り下げられ、連結金具９ａがロック部９ｂに連結されることにより、整流板５は内面パネル１２ｂに固定される。
【００４２】
図３〜図５に示されるように、スクリーン２は排気フード１２に対して回動可能である。スクリーン２が排気フード１２に対して回動されることにより、スクリーン２が収納状態と使用状態とに切り替えられる。スクリーン２が収納状態にあるときに、スクリーン２の投影面２ａは投影装置３から投影された画像を表示し得ない位置に配置されている。ここで、スクリーン２が収納状態にあるとは、スクリーン２が使用状態にあるときと比べて、スクリーン２とキッチンカウンタ２０との距離が離れていることをいう。好ましくは、収納状態にあるスクリーン２は、排気フード１２内に収納されている。スクリーン２が使用状態にあるときに、スクリーン２の投影面２ａは投影装置３から投影された画像を表示し得る位置に配置されている。上記使用状態にあるスクリーン２の投影面２ａは、排気フード１２外に配置されている使用状態とが切替えられる。スクリーン２は、投影面２ａと投影面２ａと反対側に位置する裏面２ｂとを有している。図３および図４に示されるように、収納状態における投影面２ａは、整流板５によって覆われている。すなわち、収納状態における投影面２ａは、整流板５の下面と向かい合うように配置されており、好ましくは整流板５の下面と面接触している。図１、図２および図５に示されるように、使用状態における投影面２ａは、レンジフード１の前方に向いて配置される。スクリーン２は、整流板５よりも下方に配置されている。
【００４３】
スクリーン２は、投影面２ａとなり得る平面を有している限りにおいて任意の構造を有していればよいが、例えば平板状である。スクリーン２の投影面２ａの平面形状は、任意の形状であればよい。スクリーン２の平面形状は、例えば整流板５の平面形状と同等であり、例えば正方形状である。収納状態にあるスクリーン２の前方端部は、例えば上下方向において整流板５の前方端部と重なるように配置されている。収納状態にあるスクリーン２の側方端部は、例えば上下方向において整流板５の側方端部と重なるように配置されている。収納状態にあるスクリーン２の後方端部は、例えば上下方向において整流板５の後方端部と重なるように配置されている。
【００４４】
図３〜図５に示されるように、スクリーン２は、整流板５に回動可能に支持されている。整流板５は、スクリーン２を回動可能に支持する複数（例えば３つ）の回動支持部４ａを含む。回動支持部４ａは、例えば排気ファン１０の回転軸よりも後方に配置されている。回動支持部４ａは、例えば整流板５において連結金具９ａよりも被釣金具８ａの近い部分に配置されている。回動支持部４ａは、例えば整流板５において最も壁面Ｈ（図１および図２参照）に近い後方縁部に配置されている。なお、回動支持部４ａは例えば被釣金具８ａの下方に配置されていてもよい。回動支持部４ａの他端は、例えばスクリーン２において最も壁面Ｈ（図１および図２参照）に近い後方縁部に接続され、固定されている。
【００４５】
図３〜図５に示されるように、スクリーン２は、回動支持部４ａにより収納状態とされているときに、整流板５に係合される少なくとも１つ（例えば２つ）の係合部２ｃを含む。係合部２ｃは、収納状態にあるスクリーン２を整流板５に対して固定し得る限りにおいて、任意の構成を有していればよい。係合部２ｃは、例えばスクリーン２の投影面２ａの反対側に位置する裏面２ｂに固定されている固定部分と、上記収納状態において整流板５の上端部と接触される接触部分と、固定部分と接触部分との間を接続する接続部分とを有している。係合部２ｃは、例えば弾性変形可能である。係合部２ｃが弾性変形することにより、係合部２ｃの上記接触部分が整流板５の上端部と接触している状態と、係合部２ｃの接触部分が整流板５の上端部と接触していない状態とが切り替えられ得る。係合部２ｃは、例えば排気ファン１０の回転軸よりも前方に配置されている。係合部２ｃは、例えば整流板５において被釣金具８ａよりも連結金具９ａの近い部分に配置されている。
【００４６】
図３および図４に示されるように、回動支持部４ａおよび係合部２ｃは、例えば上記収納状態にあるスクリーン２の重心を四方から囲むように配置されている。図５に示されるように、回動支持部４ａは、例えば上記使用状態にあるスクリーン２の重心を二方向から挟むように配置されている。これにより、図３および図４に示されるように、上記収納状態にあるスクリーン２は、回動支持部４ａおよび係合部２ｃにより支持されている。図５に示されるように、上記使用状態にあるスクリーン２は、回動支持部４ａにより支持されている。
【００４７】
スクリーン２を構成する材料は、鋼板、アルミニウムなどの金属材料、およびＵＬ規格（米国安全規格）を満足する材料から選択される少なくとも１つを含む。
【００４８】
好ましくは、スクリーン２の投影面２ａには反射防止処理が施されている。好ましくは、スクリーン２は反射防止層（図示しない）を含む。投影面２ａは、スクリーン２において反射防止層が形成されている領域である。言い換えると、投影装置３は、反射防止層に画像Ｚを投影する。投影面２ａを構成する材料は、任意の反射防止材であればよいが、好ましくは油煙などの汚れが付着しにくい、あるいはこのような汚れが付着しても除去しやすい防汚性を有する反射防止材である。このような反射防止層は、例えばつや消し塗装およびＡＲコーティングの少なくともいずれかの処理により形成される。また、スクリーン２の投影面２ａは、スクリーン２に対し粗面処理が施された面であってもよい。反射防止層が形成された投影面２ａおよび粗面処理が施された投影面２ａでは、不要な外光の反射が抑制されている。
【００４９】
図３〜図５に示されるように、投影装置３は、排気フード１２に取り付けられている。投影装置３は、例えば外面パネル１２ａおよび内面パネル１２ｂに囲まれた排気フード１２の内部空間であって、整流板５よりも前方に位置する空間に配置されている。内面パネル１２ｂには、投影装置３から発せられた光を通過させるための投影用開口部１５が配置されている。投影用開口部１５は、例えば内面パネル１２ｂの側端部１２ｂｂと下端部１２ｂｃとの境界部のうち、例えば整流板５よりも前方であって排気フード１２の中央部に配置されている。投影用開口部１５は、投影装置３から発せられた光を透過可能なカバー体１６により塞がれている。カバー体１６を構成する材料は、投影装置３から発せられた光を透過可能な任意の材料であればよく、例えば樹脂材料である。カバー体１６は、油煙等が投影用開口部１５を通して外面パネル１２ａと内面パネル１２ｂとに囲まれた内部空間内に侵入することを抑制する。
【００５０】
図４および図５に示されるように、投影装置３の光軸は、例えば水平方向に対して所定の角度で傾斜している。水平方向に対する投影装置３の光軸の傾斜角は、例えば１０度以上４０度以下である。
【００５１】
図１および図２に示されるように、排気フード１２の前面には、操作部１７が設けられている。さらに、排気フード１２の下面、例えば外面パネル１２ａの下壁部１２ａｃには、排気フード１２の下方空間を照らす照明部１８が配置されている。操作部１７は、例えば排気ファン１０のＯＮ／ＯＦＦを切り替えるスイッチ、排気ファン１０の風力を切換えるスイッチ、投影装置３を作動状態と停止状態とに切換えるスイッチ、および照明部１８を点灯状態と消灯状態とに切換える照明スイッチ等の各種スイッチを含む。さらに、操作部１７は、例えば排気ファン１０の運転状態を示す表示ランプ、投影装置３の運転状態を示す表示ランプ等の各種のランプ類を含む。
【００５２】
＜スクリーンの回動動作＞
上述のように、レンジフード１および厨房機器１００では、スクリーン２の全体が排気フード１２内に収納されている収納状態では、係合部２ｃの上記接触部分が整流板５の上端部と接触している。また、スクリーン２の少なくとも一部が排気フード１２外に配置されている使用状態では、係合部２ｃの接触部分が整流板５の上端部と接触していない。この収納状態と使用状態との間の切替は、係合部２ｃを弾性変形させることにより実施される。係合部２ｃの弾性変形は、例えば調理者により手動で行われる。
【００５３】
＜作用効果＞
実施の形態１に係るレンジフード１は、排気ファン１０と、排気ファン１０を収容するケース本体１１と、ケース本体１１の下方に配置された排気フード１２とを備えるレンジフードであって、画像Ｚを投影する投影装置３と、投影装置３から投影された画像Ｚを表示するスクリーン２とを備える。
【００５４】
このようにすれば、スクリーン２に投影された画像Ｚは、鍋、調味料など調理に使用される各種調理物品のように調理物品の外観と重なって表示されないため、調理者にとって視やすい。さらに、スクリーン２に投影された画像Ｚは、調理物品に投影された画像と比べて、調理者から視てスクリーン２よりも後方に配置されている調理物品の影響を受けない。そのため、レンジフード１は、従来の厨房機器と比べて画像の投影場所およびその大きさの制約が緩和されている。さらに、レンジフード１は、投影装置３とスクリーン２を備えているため、面状発光体を備えるレンジフードと比べて製造コストが低減されている。
【００５５】
上記レンジフード１では、スクリーン２は排気フード１２に対して回動可能である。スクリーン２が排気フード１２に対して回動されることにより、スクリーン２が排気フード１２内に収納されている収納状態と、スクリーン２の少なくとも一部が排気フード１２外に配置されている使用状態とが切替えられる。
【００５６】
上記レンジフード１において、スクリーン２は排気フード１２に対して昇降および回動の少なくともいずれかの動作が可能である。上記動作が行われることにより、スクリーン２が収納状態と使用状態とに切替えられる。
【００５７】
ここで、スクリーン２が収納状態にあるとは、スクリーン２に画像が投影不可能な状態をいう。このような収納状態と使用状態とに切替えられる上記スクリーンでは、使用状態において投影装置から投影される画像が表示される投影面の少なくとも一部が、収納状態にあるときに調理者に視認出来ない状態とされる。そのため、上記レンジフードは、常に使用状態で保持されるスクリーンを備えるレンジフードと比べて、スクリーン不使用時の見栄えが向上されている。また、上記スクリーン２は、常に使用状態で保持されるスクリーン２と比べて、収納状態では油煙の発生箇所であるキッチンカウンタ２０から離れた位置に保持される。そのため、このようなスクリーン２は、常に使用状態で保持されるスクリーン２と比べて、油煙による汚染が抑制されている。
【００５８】
上記レンジフード１では、スクリーン２は排気フード１２の下方に配置され得る。
このようなレンジフード１では、スクリーン２が排気フード１２の上方に配置されるレンジフード１と比べて、調理者に求められる視線の動きを小さくすることができる。つまり、当該レンジフード１では、調理者はキッチンカウンタ２０の上面と排気フード１２の下方に配置されたスクリーン２との間で視線を動かせばよい。そのため、当該レンジフード１において排気フード１２の下方に配置されたスクリーン２に投影された画像Ｚは、排気フード１２の上方に配置されたスクリーン２に投影された画像と比べて、調理者に視認されやすい。
【００５９】
上記レンジフード１では、排気フード１２には吸気開口部が配置されている。レンジフード１は、吸気開口部内に配置されている整流板５と、整流板５に対しスクリーン２を回動可能に支持する回動支持部４ａとを備える。
【００６０】
このようにすれば、収納状態におけるスクリーン２は整流板として作用し得る。つまり、収納状態におけるスクリーン２は、吸気開口部の一部を整流板５とともに塞ぐことができる。また、このようなスクリーン２は、整流板５とともに容易に交換可能である。
【００６１】
上記レンジフード１では、投影装置３から画像Ｚが投影され得るスクリーン２の投影面２ａは整流板５により覆われている。具体的には、投影面２ａは、整流板５の下面と接触可能に配置されている。
【００６２】
このようにすれば、スクリーン２の投影面２ａは、収納状態において油煙に曝されない。そのため、収納状態での投影面２ａは、油煙に曝されることによる汚染が抑制されている。
【００６３】
上記レンジフード１において、スクリーン２を構成する材料は不燃材料である。このようなレンジフード１は、防災の観点で優れる。
【００６４】
上記レンジフード１において、スクリーン２は反射防止層を含むのが好ましい。投影装置３は、反射防止層に画像Ｚを投影する。すなわち、スクリーン２において反射防止層が形成されている領域が、投影面２ａを成している。
【００６５】
このようなスクリーン２に投影された画像Ｚは、反射防止層が形成されていないスクリーン２に投影された画像と比べて、調理者に視認されやすい。
【００６６】
実施の形態１に係る厨房機器１００は、上記レンジフード１を備える。すなわち、厨房機器１００は、室内の空気を室外に排気する排気ファン１０と、排気ファン１０を収容するケース本体１１と、ケース本体１１の下方に配置された排気フード１２とを含むレンジフード１と、レンジフード１よりも下方に配置されたキッチンカウンタ２０およびガスコンロ２１とを備える。レンジフード１は、画像Ｚを投影する投影装置３と、投影装置３から投影された画像Ｚを表示するスクリーン２とを含む。
【００６７】
このような厨房機器１００によれば、厨房機器１００が据え付けられたキッチンの壁面Ｈまたはキッチンカウンタ２０の上面に配置された調理物品等による制約を受けることなく、調理者にとって視やすい画像Ｚをスクリーン２上に表示することができる。つまり、厨房機器１００は、従来の厨房機器と比べて、投影面の制約が緩和されておりかつ調理者にとって視やすい画像Ｚを表示可能である。
【００６８】
（実施の形態２）
図６および図７に示されるように、実施の形態２に係るレンジフード１ａは、基本的に実施の形態１に係るレンジフード１と同様の構成を備えるが、スクリーン２が排気フード１２の内面パネル１２ｂに固定されており、スクリーン２が内面パネル１２ｂに対して回動可能に支持されている点で異なる。
【００６９】
内面パネル１２ｂは、スクリーン２を回動可能に支持する複数（例えば３つ）の回動支持部４ｃを含む。回動支持部４ｃは、例えば排気ファン１０の回転軸よりも後方に配置されている。回動支持部４ｃは、例えば整流板５において連結金具９ａよりも被釣金具８ａの近い部分に配置されている。回動支持部４ｃは、例えば整流板５において最も壁面Ｈ（図１および図２参照）に近い後方縁部に配置されている。回動支持部４ｃの他端は、例えばスクリーン２において最も壁面Ｈ（図１および図２参照）に近い後方縁部に接続され、固定されている。
【００７０】
スクリーン２において回動支持部４ｃを介して内面パネル１２ｂと接続されている部分は、内面パネル１２ｂの上記開口縁部と整流板５の外縁との間の隙間の一部を塞ぐように形成されている。一方、スクリーン２において回動支持部４ｃを介して内面パネル１２ｂと接続されていない部分は、内面パネル１２ｂの上記開口縁部と整流板５の外縁との間の隙間を塞がないように形成されている。例えば、スクリーン２において回動支持部４ｃを介して内面パネル１２ｂと接続されている部分と隣り合う部分には、上記隙間を塞がないための切欠部２ｄが形成されている。例えば収納状態において整流板５と重なるように配置されているスクリーン２の領域が、スクリーン２の投影面２ａ（図２参照）を成している。
【００７１】
実施の形態２に係るレンジフード１ａは、実施の形態１に係るレンジフード１と基本的に同様の構成を備えるため、レンジフード１と同様の効果を奏することができる。また、このようなスクリーン２は、内面パネル１２ｂとともに容易に交換可能である。
【００７２】
（実施の形態３）
図８および図９に示されるように、実施の形態３に係るレンジフード１ｂは、基本的に実施の形態１に係るレンジフード１と同様の構成を備えるが、スクリーン２が排気フード１２に対して昇降可能である点で異なる。
【００７３】
レンジフード１ｂでは、スクリーン２が排気フード１２に対して昇降されることにより、スクリーン２が排気フード１２内に収納されている収納状態と、スクリーン２の少なくとも一部が排気フード１２外に配置されている使用状態とが切替えられる。
【００７４】
スクリーン２は、例えば芯材２ｆと、芯材２ｆに巻き取られたロール状の板材２ｇとを含む。スクリーン２の板材２ｇにおいて最も外周側に位置する端部には、取手部２ｈが配置されている。スクリーン２は、例えば図示しないロック機構および巻き上げ機構を含む。
【００７５】
図８に示されるように、収納状態にあるスクリーン２は、例えば外面パネル１２ａおよび内面パネル１２ｂに囲まれた排気フード１２の内部空間であって、整流板５よりも後方に位置する空間に配置されている。収納状態におけるスクリーン２の投影面２ａは、外面パネル１２ａおよび内面パネル１２ｂに囲まれた排気フード１２の内部空間に配置され、かつスクリーン２において投影面２ａと反対側に位置する裏面２ｂと接触している。収納状態において、スクリーン２の取手部２ｈは、例えば外面パネル１２ａおよび内面パネル１２ｂの外に配置されている。収納状態にあるスクリーン２の取手部２ｈが調理者によって下方に引っ張られることにより、スクリーン２は図９に示される使用状態とされる。スクリーン２の上記ロック機構の作用により使用状態にあるスクリーン２が保持され得る。使用状態から収納状態への切替は、調理者が上記ロック機構の作用を解消することで、上記巻き上げ機構の作用により実施され得る。なお、ロック機構は、操作部１７に設けられたスイッチにより電動で作用するようにしてもよい。
【００７６】
実施の形態３に係るレンジフード１ｂは、実施の形態１に係るレンジフード１と基本的に同様の構成を備えるため、レンジフード１と同様の効果を奏することができる。
【００７７】
（実施の形態４）
図１０に示されるように、実施の形態４に係るレンジフード１ｃは、基本的には実施の形態３に係るレンジフード１ｂと同様の構成を備えるが、スクリーン２がロール状ではなく板状である点で異なる。
【００７８】
図１０に示されるように、レンジフード１ｃにおけるスクリーン２は、ケース本体１１および排気フード１２に対して昇降可能である。ケース本体１１および排気フード１２は、収納状態においてスクリーン２を収納するための収納部１９ａと、収納部１９ａ内に配置され、スクリーン２の昇降をガイドするガイド部材１９ｂとをさらに含む。収納部１９ａは、例えば排気フード１２の一部と、当該排気フード１２の一部と昇降方向に連なるケース本体１１の一部とを有している。収納部１９ａは、排気フード１２において開口している。スクリーン２は、当該開口を介して収納部１９ａから出し入れされる。ガイド部材１９ｂは、例えば上下方向に沿って延在している。
【００７９】
スクリーン２は、例えば昇降方向の一端（例えば下端）に配置された取手部２ｈと、昇降方向の他端（例えば上端）に配置された引掛部２ｉとを含む。取手部２ｈおよび引掛部２ｉの昇降方向に交差する方向の幅は、例えばスクリーン２において取手部２ｈと引掛部２ｉとの間に配置されている部分の当該交差する方向の幅よりも広い。取手部２ｈは、例えば上記収納状態において排気フード１２の下方に配置されており、調理者により把持され得る。
【００８０】
排気フード１２は、例えば収納部１９ａにおいてスクリーン２の取手部２ｈと当接可能な第１ストッパ部（図示しない）と、収納部１９ａにおいてスクリーン２の引掛部２ｉと当接可能な第２ストッパ部（図示しない）を含む。第１ストッパ部は、スクリーン２の取手部２ｈと当接可能な状態と当接不能な状態とを切替可能である。第２ストッパ部は、スクリーン２において取手部２ｈと引掛部２ｉとの間に配置されている部分とは当接しない。
【００８１】
図１０に示されるように、収納状態にあるスクリーン２は、収納部１９ａ内に配置されている。収納状態にあるスクリーン２の取手部２ｈは、自身よりも下方に配置された第１ストッパ部と当接している。これにより、収納状態にあるスクリーン２は第１ストッパ部により保持されている。収納状態から使用状態への切替は、第１ストッパ部が調理者によって取手部２ｈと当接されている状態から取手部２ｈと当接され得ない状態とされることにより、実施され得る。取手部２ｈと第１ストッパ部との当接が解消されたスクリーン２は、収納部１９ａから降下する。スクリーン２の降下は、引掛部２ｉが第２ストッパ部と当接することにより停止される。これにより、スクリーン２は使用状態に保持される。使用状態から収納状態への切替は、調理者が取手部２ｈを収納部１９ａ内にまで持ち上げた後、第１ストッパ部を取手部２ｈの下方に配置することにより実施され得る。
【００８２】
実施の形態４に係るレンジフード１ｃは、実施の形態３に係るレンジフード１ｂと基本的に同様の構成を備えるため、レンジフード１ｂと同様の効果を奏することができる。
【００８３】
なお、レンジフード１ｃにおいて、収納部１９ａは排気フード１２内にのみ配置されていてもよい。この場合、収納部１９ａは例えば整流板５の下方に配置されており、ガイド部材１９ｂは水平方向に沿って延在している。ガイド部材１９ｂは例えば整流板５に固定されている。この場合、スクリーン２は、実施の形態１におけるスクリーン２と同様に、収納状態において整流板５の下方に配置され、整流板として作用し得る。収納状態から使用状態への切替は、例えばスクリーン２の後方端部を後方にスライドさせた後に下方にスライドさせることにより、実施され得る。
【００８４】
（実施の形態５）
図１１に示されるように、実施の形態５に係るレンジフード１ｄは、基本的には実施の形態１に係るレンジフード１と同様の構成を備えるが、スクリーン２が複数（例えば２つ）の投影面２ａを有している点で異なる。
【００８５】
スクリーン２は、例えば第１スクリーン部２ｊおよび第２スクリーン部２ｋを含む。第１スクリーン部２ｊおよび第２スクリーン部２ｋの各々は、例えば板状部材である。第２スクリーン部２ｋは、第１スクリーン部２ｊよりも下方に配置される。第１スクリーン部２ｊおよび第２スクリーン部２ｋは、例えば蝶番２ｌを介して回動可能に接続されている。
【００８６】
収納状態において、第１スクリーン部２ｊおよび第２スクリーン部２ｋは例えば折り畳まれている。収納状態において、第１スクリーン部２ｊの投影面２ｍと第２スクリーン部２ｋの投影面２ｎとは例えば接触されている。収納状態において、投影面２ｍおよび投影面２ｎは油煙に曝されない。
【００８７】
使用状態における第１スクリーン部２ｊの投影面２ｍは、水平方向および水平方向に交差する第１方向（例えば上下方向）に沿って延在している。使用状態における第２スクリーン部２ｋの投影面２ｎは、水平方向および水平方向に交差する第２方向に沿って延在している。第２方向は、第１方向と交差する方向である。使用状態において第１スクリーン部２ｊよりも下方に配置される第２スクリーン部２ｋの投影面２ｎは、蝶番２ｌにより、上方に傾斜した状態で保持されている。投影面２ｍに対し投影面２ｎが成す角度は、例えば９０度超え１８０度未満である。
【００８８】
実施の形態５に係るレンジフード１ｄは、実施の形態１に係るレンジフード１と基本的に同様の構成を備えるため、レンジフード１と同様の効果を奏することができる。
【００８９】
また、使用状態において第１スクリーン部２ｊよりも下方に配置される第２スクリーン部２ｋの投影面２ｎは、投影面２ｍに対し９０度超え１８０度未満の傾斜角で傾斜している。そのため、投影面２ｎに投影された画像Ｚは、使用状態において投影面２ｎが投影面２ｍと平行に配置される場合と比べて、調理者に視認されやすい。
【００９０】
第１スクリーン部２ｊおよび第２スクリーン部２ｋの各々の寸法は、例えば整流板５の寸法と同程度とされ得る。このようなレンジフード１ｄはレンジフード１と比べて大きな投影面を有している。
【００９１】
（実施の形態６）
図１２および図１３に示されるように、実施の形態６に係るレンジフード１ｅは、基本的には実施の形態１に係るレンジフード１と同様の構成を備えるが、スクリーン２の投影面２ａが前方ではなく側方に向いて配置されている点で異なる。
【００９２】
レンジフード１ｅのスクリーン２は、図３〜図５に示されるレンジフード１のスクリーン２と基本的に同様の構成を備える。スクリーン２の回動支持部および係合部は、例えば排気ファン１０の回転軸を中心として９０度回転されたときに、レンジフード１のスクリーン２と一致するような回転対称性を有している。
【００９３】
言い換えると、レンジフード１ｅの回動支持部（図示しない）および係合部（図示しない）は、図３〜図５に示されるレンジフード１の回動支持部４ａおよび係合部２ｃと基本的に同様の構成を備える。レンジフード１ｅの回動支持部および係合部は、例えば排気ファン１０の回転軸を中心として９０度回転されたときに、レンジフード１の回動支持部４ａおよび係合部２ｃと一致するような回転対称性を有している。
【００９４】
なお、レンジフード１ｅのスクリーン２は、レンジフード１のスクリーン２に対し、０度超え９０度未満の任意の角度の回転対称性を有していてもよい。投影装置３は、スクリーン２と対向する位置に配置されていてもよい。例えば図１２および図１３に示すスクリーン２に対しては、投影装置３は排気フード１２の側方側に配置されていてもよい。
【００９５】
実施の形態６に係るレンジフード１ｅは、実施の形態１に係るレンジフード１と基本的に同様の構成を備えるため、レンジフード１と同様の効果を奏することができる。
【００９６】
（実施の形態７）
図１４に示されるように、実施の形態７に係る厨房機器１０１は、基本的には実施の形態１に係る厨房機器１００と同様の構成を備えるが、スクリーン２を含むワークトップを備える点で異なる。
【００９７】
スクリーン２は、例えばガスコンロ２１よりも後方であって壁面Ｈよりも前方に配置されている。スクリーン２の投影面２ａは、例えば前方に向いて配置されている。使用状態における投影面２ａは、実施の形態６における投影面２ａのように、例えば使用状態において側方に向いて配置されていてもよい。また、使用状態における投影面２ａは、実施の形態５における投影面２ｎのように、例えば上方に傾斜した状態で保持されていてもよい。スクリーン２は、収納状態において、キッチンカウンタ２０の上面に巻き取られるようなロール状であってもよく、キッチンカウンタ２０に設けた図示しない開口部を通して、電動または手動で昇降可能な構成としてもよい。
【００９８】
実施の形態７に係る厨房機器１０１は、実施の形態１に係る厨房機器１００と同様の構成を備えるため、厨房機器１００と同様の効果を奏することができる。
【００９９】
上述のように、厨房機器１００はレンジフード１がスクリーン２を含む。厨房機器１０１はキッチンカウンタ２０がスクリーン２を含む。厨房機器１０１は、スクリーン２を備えないレンジフード１ｆを備えていてもよい。また、厨房機器１０１は、スクリーン２を備えるレンジフード１〜１ｅのいずれかを備えていてもよい。つまり、本発明の厨房機器は、レンジフード１およびワークトップの少なくともいずれかがスクリーン２を含んでいればよい。
【０１００】
＜変形例＞
なお、実施の形態１〜７に係るレンジフード１，１ａ，１ｂ，１ｃ，１ｄ，１ｅおよび厨房機器１００，１０１は、スクリーン２および投影装置３の少なくともいずれかを複数個備えていてもよい。
【０１０１】
実施の形態１〜７に係るレンジフード１，１ａ，１ｂ，１ｃ，１ｄ，１ｅは、上記収納状態においてスクリーン２に投影面２ａを洗浄するための洗浄部または清掃部をさらに備えていてもよい。このようなレンジフードは、使用状態において油煙により汚染された投影面２ａが収納状態において上記洗浄部により洗浄される。そのため、このようなレンジフードは、使用状態において清浄な投影面２ａに画像を投影することができる。
【０１０２】
実施の形態１〜７に係るレンジフード１，１ａ，１ｂ，１ｃ，１ｄ，１ｅは、上記使用状態においてスクリーン２の投影面２ａに沿って上方から下方に向かうエアカーテンを形成するためのエアカーテン発生部をさらに備えていてもよい。エアカーテン発生部は、例えば排気フード１２に取り付けられている。このようなレンジフードは、使用状態において油煙による投影面２ａの汚染がエアカーテン発生部により発生されるエアカーテンにより抑制される。このようなレンジフードは、使用状態において清浄な投影面２ａに画像を投影することができる。
【０１０３】
今回開示された各実施の形態は、矛盾しない範囲で適宜組み合わせて実施されることも予定されている。今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０４】
１，１ａ，１ｂ，１ｃ，１ｄ，１ｅ  レンジフード、２  スクリーン、２ａ，２ｍ，２ｎ  投影面、２ｂ  裏面、２ｃ  係合部、２ｄ  切欠部、２ｆ  芯材、２ｇ  板材、２ｈ  取手部、２ｉ  引掛部、２ｊ  第１スクリーン部、２ｋ  第２スクリーン部、２ｌ  蝶番、３  投影装置、４ａ，４ｂ  回動支持部、５  整流板、７  吸気口、８ａ  被釣金具、８ｂ  釣金具、９ａ  連結金具、９ｂ  ロック部、１０  排気ファン、１１  ケース本体、１２  排気フード、１２ａ  外面パネル、１２ａａ  上壁部、１２ａｂ  側壁部、１２ａｃ  下壁部、１２ｂ  内面パネル、１２ｂａ  上端部、１２ｂｂ  側端部、１２ｂｃ  下端部、１３  幕板、１４  排気ダクト、１５  投影用開口部、１６  カバー体、１７  操作部、１８  照明部、１９ａ  収納部、１９ｂ  ガイド部材、２０  キッチンカウンタ、２１  ガスコンロ、１００，１０１  厨房機器、Ｈ  壁面、Ｚ  画像。
【図１】
2018105515.tif 000003
【図２】
2018105515.tif 000004
【図３】
2018105515.tif 000005
【図４】
2018105515.tif 000006
【図５】
2018105515.tif 000007
【図６】
2018105515.tif 000008
【図７】
2018105515.tif 000009
【図８】
2018105515.tif 000010
【図９】
2018105515.tif 000011
【図１０】
2018105515.tif 000012
【図１１】
2018105515.tif 000013
【図１２】
2018105515.tif 000014
【図１３】
2018105515.tif 000015
【図１４】
2018105515.tif 000016
【図１５】
2018105515.tif 000017